【事件の表示】
　特許第２９９５７７３号「カメラの露出演算装置」の請求項１及び２に係る特許に対する特許異議の申立てについてなされた平成１３年６月５日付けの異議決定に対し、東京高等裁判所において審決取消の判決（平成１３（行ケ）第３３５号、平成１６年４月８日判決言渡）があったので、更に審理の結果、次のとおり決定する。
【結　論】
　特許第２９９５７７３号の請求項１及び２に係る特許を維持する。
【理　由】
１．手続の経緯
　本件特許第２９９５７７３号の請求項１及び２に係る発明についての出願は、平成２年１月５日に特許出願され、平成１１年１０月２９日にその発明について特許の設定登録がなされ、その後、その特許について、有限会社オフィスアテナより特許異議申立てがなされ、これを受けて取消理由通知がなされ、その指定期間内の平成１２年１１月２日に訂正請求がなされ、訂正拒絶理由が通知され、平成１３年６月５日に請求項１及び２に係る特許を取消すとした決定がなされたところ、平成１６年４月８日に前記決定を取り消すとの判決があり、その後、平成１６年５月２１日付けで平成１２年１１月２日付けの訂正請求が取り下げられたものである。
　
２．特許異議申立てについての判断
（１）本件の請求項１及び２の発明
　本件の請求項１及び２に係る発明（以下、「本件発明１」及び「本件発明２」という。）は、本件特許明細書及び図面の記載からみて、その特許請求の範囲の請求項１及び２に記載された事項に特定される、次のとおりのものである。
「【請求項１】被写界からの光を受けて、該被写界の測光すべき測光領域に対して輝度測定をおこない、測光領域輝度出力を発生する測光手段と、
前記測光領域の中で、かつ連続して形成された複数の素子によって焦点検出される領域に対して焦点検出を行い、焦点検出出力を発生する焦点検出手段と、
該各素子の出力を用いて前記測光領域輝度出力とは別に複数の焦点領域輝度値を算出し、該焦点領域輝度値に対応した複数の焦点領域輝度出力を発生す焦点領域輝度算出手段と、
被写体及びカメラに関連した距離に関する情報を出力する距離情報出力手段と、
該距離情報出力手段の出力に基づいて、前記焦点領域輝度算出手段によって発生される焦点領域輝度出力の中から主要被写体を含む焦点検出領域に対応する焦点領域輝度出力を露出演算に用いる露出輝度出力として、選別する選別手段と、
該選別手段によって選別された露出輝度出力を用いて露出値を算出する露出演算手段と、
を有することを特徴とするカメラの露出演算装置。
【請求項２】該距離に関する情報が撮影倍率であることを特徴とする請求項１のカメラの露出演算装置。」
　
（２）引用刊行物に記載された発明
　当審が通知した取消しの理由に引用された刊行物１（特開昭６１−２４６７１３号公報）には、
ａ「測距時には、投光部からスリット状光束を被写体に向けて投光し、この被写体で反射した光を受光センサーで受光し、その受光位置から被写体距離を検出し、そしてこの反射光が入射した位置と均等な位置又はこの近辺にあるピクセルを用いてスポット測光あるいは重点測光を行なって被写体輝度を求めるようにしたものである。」（第２頁左下欄第４〜１０行）、
ｂ「この実施例ではフィル夕１８が市松模様に取り付けられているが、これに限定されるものではなく、例えばエリヤセンサーを二分するように、その半分にフイル夕１３を設けてもよい。」（第３頁左上欄第１〜５行）、
ｃ「更に、ピクセルの配置もマトリックスに限られるものではなく、例えばライン状、放射状、あるいはリング状をしたピクセルを同心円状等に配置してもよい。」（第３頁左上欄第５〜８行）、
ｄ「前記フィルタ１８が取り付けられているピクセルは、測距（ＡＦ）用ピクセルとして用いられ、フィルタ１８がないピクセルは輝度測定用（ＡＥ）用ピクセルとして用いられる。レリーズボタン５を押下すると、シャッタが作動する前に、発光ダイオード１０が所定時間発光し、これから放出された近赤外光がスリット板１１及びシリンドリカルレンズ１２を経ることにより、スリット状光束とされる。このスリット状光束１７は、第４図(Ａ)に示すように、撮影画面２０の横方向に細長く延びている。また、スリット状光束１７は、撮影画面２０の画角の約１/３程度の長さになっており、このスリット状光束１７で照明される範囲内にある被写体が測距可能となる。したがって、従来の被写体距離測定装置のように、画面の中心部だけを測距するものでないから、ファインダ内にターゲットを設ける必要がなく、また構図を自由に決定することができる。被写体１５、１６で反射された光は、その距離に応じて異なったＡＦ用ピクセルに入射する。すなわち、第４図(Ｂ)に示すように、近距離にある被写体１５で反射された光は、符号１５ａで示すように、近距離側から数えて第２行目のＡＦ用ピクセルに結像されて光電変換される。そして、遠距離にある被写体１６で反射された光は、符号１６ａで示すように、第４行目のＡＦ用ピクセルに結像される。異なった行に２個以上の反射光が入射された場合には、近距離側の行にあるＡＦ用ピクセルが優先されるようになっている。この優先されたＡＦ用ピクセルの位置に応じて撮影レンズ２が位置決めされる。すなわち、この場合には、無限位置を含めて６段あるレンズセット位置のうち近距離側から２段目に撮影レンズ２がセットされる。」（第３頁左上欄第９行〜左下欄第２行）、
ｅ「このレンズセット後に、受光センサー１３で外光(可視光)を測光し、多数のピクセルのうち主要被写体を検出したＡＦ用ピクセルに近接した位置にあるＡＥ用ピクセル(以下、これを近接ＡＥピクセルという)の出力を取り出すことにより、スポット測光を行い、得られた被写体輝度を用いて露光量を算出する。」（第３頁左下欄第２〜８行）、
ｆ「なお、このスポット測光は、受光センサー１３の出力の平均値を算出して、この平均値に応じて係数を選択し、この係数で近接ＡＥピクセルの出力に重み付けすることにより、被写体輝度を算出することもできる。あるいは近接ＡＥピクセルの出力の重みを大きくした重点測光を行なうこともできるものである。」（第３頁左下欄第８行〜左下欄第１５行）との記載がある。
　
　同じく引用した刊行物２（特開昭６０−２１３９３１号公報）には、
「すなわち各測距視野Ｓ１〜Ｓ１２に対応して１組の投光素子と受光素子が設けられており、これらによって各測距視野Ｓ１〜Ｓ１２での測距が行なわれる。投光素子としてはｉＲＥＤ（赤外発光ダイオード）、受光素子としてはＰＳＤ（Ｐｏｓｉｔｉｏｎ　ｓｅｎｓｉｎｇ　ｄｉｏｄｅ）を使用するものとする。ＰＳＤは、一般に良く知られているように、両端に出力端子を有し、ＰＳＤへの光の入射位置が一方に偏るほど、その一出力端子からは他端子よりも大きい電流が出力する性質を有し、またその電流の大きさは入射光が強いほど大きい性質を有する。この性質を利用して、前記光学系によりそれに結像される被写体の距離および輝度を測定し得る。」（第２頁左下欄第１２行〜右下欄第４行）との記載がある。
　
　また、同じく引用した刊行物３（特開平１−２６７６２０号公報）には、
「露出補正手段３により前記測光誤差を相殺するような補正値を種々の撮影条件に応じて予め設定しておいて、各測光手段１、２の測光値ＢＶＣ，ＢＶＯから前記測光誤差を相殺するように補正値を差し引くことにより、適正な制御輝度値ＢＶＴを得るものである。」（第３頁左上欄第１２〜１７行）、
「そこで、以下、中心輝度の測光値ＢＶＣに対する周辺輝度の影響についてのみ検討する。
（ｉ）撮影倍率βを変化させた場合第４図（ａ）〜（ｃ）は、撮影倍率βがそれぞれ１/１５、１/５０、１/８０の場合における人物像を、第３図（ａ）に重ねて示したものである。上記各図に示すように、主被写体の撮影倍率βが１/１００よりも大きいときには、主被写体が人物程度の大きさである確率が高く、またフォーカシング時には主被写体が画面の中央付近に来ることが一般的である。逆光シーンの場合、つまり人物等の主被写体の輝度が周辺輝度に比べて低い場合において、第４図（ａ）に示すように撮影倍率βが高く、主被写体が測光エリアＡ１に比べて大きいときには中心輝度の測光値ＢＶＣに対する周辺輝度の影響量は少ない。したがって、撮影倍率βが高い場合には、制御輝度値に対する補正値は小さくて良い。ところが、第４図（ｃ）に示すように、主被写体が測光エリアＡ１を辛うじて含む程度の小さい撮影倍率では、上述の測光感度のボケの効果により、中心輝度の測光値ＢＶＣは明るい周辺輝度に影響されて、主被写体の真の輝度よりも高くなる。したがって、撮影倍率βが低い場合には、制御輝度値に対する補正値は大きくする必要がある。また、第４図（ｂ）に示すように、上記の中間的な撮影倍率の場合には、制御輝度値に対する補正値も中間的な値に設定する必要がある。」（第３頁右下欄第７行〜第４頁左上欄第１３行）、
「具体的には、まず、レンズＲＯＭ１３から撮影レンズの焦点距離ｆに関する情報を、測距回路１４からは被写体距離Ｄに関する情報をそれぞれマイクロコンピュータ１０に入力し、β＝ｆ/Ｄの演算を行うことにより、撮影倍率βを求める。」（第５頁右上欄第５〜１０行）、及び「なお、測距回路１４がＴＴＬ位相差検出方式のように、焦点ずれ量に応じてレンズ繰り出し量を求める焦点検出回路である場合には、被写体に合焦したときのレンズ繰り出し量に応じた撮影距離ｘと撮影レンズの焦点距離ｆからβ＝ｘ/ｆの演算により撮影倍率βを求めても良い。」（第５頁左下欄下から２行〜右下欄第４行）との記載がある。
　
（３）対比及び当審の判断
ア．本件発明１について
　本件発明１と刊行物１に記載された発明とを比較すると、刊行物１には、実質的に「被写界の測光すべき測光領域に対して輝度測定をおこない、測光領域輝度出力を発生する測光手段と、
前記測光領域の中で、かつ連続して形成された複数の素子によって焦点検出される領域に対して焦点検出を行い、焦点検出出力を発生する焦点検出手段と、該各素子の出力を用いて前記測光領域輝度出力とは別に複数の焦点領域輝度値を算出し、該焦点領域輝度値に対応した複数の焦点領域輝度出力を発生する焦点領域輝度算出手段と、被写体及びカメラに関連した距離に関する情報を出力する距離情報出力手段と、露出演算手段と、を有することを特徴とするカメラの露出演算装置」についての発明が開示され、その点で本件発明１に係る構成の一部と一致するものである。
　しかしながら、刊行物１には、本件発明１が有する「距離情報出力手段の出力に基づいて、前記焦点領域輝度算出手段によって発生される焦点領域輝度出力の中から主要被写体を含む焦点検出領域に対応する焦点領域輝度出力を露出演算に用いる露出輝度出力として、選別する選別手段」の構成は記載されてないばかりか、それを示唆する記載もない。本件発明１は、この構成により、主要被写体を重点的に測光し、主要被写体以外のものによる影響を少なくし、常に主要被写体に対する適正な露出を得ることができるという本件明細書記載の作用効果を奏するものでる。
　また、刊行物２及び３にも、上記本件発明１が有する「距離情報出力手段の出力に基づいて、前記焦点領域輝度算出手段によって発生される焦点領域輝度出力の中から主要被写体を含む焦点検出領域に対応する焦点領域輝度出力を露出演算に用いる露出輝度出力として、選別する選別手段」に関する構成は、記載されてないばかりか、それを示唆する記載もない。
　してみると、本件発明１は、刊行物１ないし３に記載された発明に基づいて当業者が容易に発明できたものではない。
　
イ．本件発明２について
　本件発明２は、本件発明１にさらに「距離に関する情報が撮影倍率である」ことを限定したものであるから、本件発明１が刊行物１ないし３に記載された発明に基づいて、当業者が容易になし得たものとすることができない以上、本件発明２についても、当業者が刊行物１ないし３に記載された発明に基づいて容易になし得たものとすることはできない。
　
３．むすび
　以上のとおりであるから、特許異議の申立の理由及び証拠によっては本件発明１及び２についての特許を取り消すことはできない。
　また、他に本件発明１及び２についての特許を取り消すべき理由を発見しない。
　よって結論のとおり決定する。
【異議決定日】
平成１３年６月５日（２００１．６．５）